(57)【要約】【課題】  瞬時に携帯電話機の環境に適した受信ＤＰＣＨ電力を要求することができる携帯電話機を提供する。【解決手段】  携帯電話機１では自機が現在おかれている環境でのＩＳＣＰを測定部１５にて測定し、その測定データと特性テーブル１６に予め保存してある基準ＢＬＥＲとなるＩＳＣＰと受信ＤＰＣＨ電力の関係を示す受信特性データとから、測定したＩＳＣＰで基準ＢＬＥＲを満たす目標ＤＰＣＨ電力を割り出す。携帯電話機１は現在受信しているＤＰＣＨ電力を測定し、測定した受信ＤＰＣＨ電力を上記の処理で割り出した目標ＤＰＣＨ電力とを比較し、測定したＤＰＣＨ電力の方が目標ＤＰＣＨ電力より大きければＴＰＣビットで“ＤＯＷＮ”を無線基地局に要求し、測定したＤＰＣＨ電力の方が目標ＤＰＣＨ電力より小さければＴＰＣビットで“ＵＰ”を無線基地局に要求する。【選択図】      図１                                                  
2005354239.tif 000002
【特許請求の範囲】
【請求項１】
携帯電話機と無線基地局との間でインナーループ電力制御とアウターループ電力制御とを使用して受信ＤＰＣＨ（Ｄｅｄｉｃａｔｅｄ  Ｐｈｙｓｉｃａｌ  ＣＨａｎｎｅｌ）電力を制御する移動通信システムであって、
予め測定した受信特性から作成した受信特性データを保存する特性テーブルと、前記携帯電話機がおかれている環境での干渉量を測定する測定手段と、前記測定手段で測定した干渉量と前記特性テーブルに保存されている受信特性データとから前記携帯電話機がおかれている環境下で目標ＢＬＥＲ（Ｂｌｏｃｋ  Ｅｒｒｏｒ  Ｒａｔｅ）を満たす目標ＤＰＣＨ電力を決定する決定手段と、前記受信ＤＰＣＨ電力が前記目標ＤＰＣＨ電力になるように制御する制御手段とを前記携帯電話機に有することを特徴とする移動通信システム。
【請求項２】
前記受信特性データは、基準ＢＬＥＲとなる干渉量と前記受信ＤＰＣＨ電力との関係を示すことを特徴とする請求項１記載の移動通信システム。
【請求項３】
前記受信特性データは、長区間での測定が必要なＢＬＥＲの測定を予め実施して作成したことを特徴とする請求項２記載の移動通信システム。
【請求項４】
前記制御手段は、前記受信ＤＰＣＨ電力が前記目標ＤＰＣＨ電力より大きい場合にＴＰＣ（Ｔｒａｎｓｍｉｔ  Ｐｏｗｅｒ  Ｃｏｎｔｒｏｌ）ビットにて“ＤＯＷＮ”を前記無線基地局に送信し、前記受信ＤＰＣＨ電力が前記目標ＤＰＣＨ電力より小さい場合に前記ＴＰＣビットで“ＵＰ”を前記無線基地局に送信して前記受信ＤＰＣＨ電力が前記目標ＤＰＣＨ電力になるように制御することを特徴とする請求項１から請求項３のいずれか記載の移動通信システム。
【請求項５】
前記制御手段は、前記干渉量が所定値以下の状態が所定時間以上継続した時に前記受信ＤＰＣＨ電力に対する制御を行うことを特徴とする請求項１から請求項４のいずれか記載の移動通信システム。
【請求項６】
前記制御手段は、前記干渉量が所定値以下の状態が所定時間以上継続してから所定時間の間、前記受信ＤＰＣＨ電力に対する制御を行うことを特徴とする請求項１から請求項４のいずれか記載の移動通信システム。
【請求項７】
前記制御手段は、前記目標ＤＰＣＨ電力を所定時間以上単調に下げ、総低下量が所定値以上となった時に前記受信ＤＰＣＨ電力に対する制御を行うことを特徴とする請求項１から請求項４のいずれか記載の移動通信システム。
【請求項８】
前記制御手段は、前記目標ＤＰＣＨ電力を所定時間以上単調に下げ、総低下量が所定値以上となってから所定時間の間、前記受信ＤＰＣＨ電力に対する制御を行うことを特徴とする請求項１から請求項４のいずれか記載の移動通信システム。
【請求項９】
無線基地局との間でインナーループ電力制御とアウターループ電力制御とを使用して受信ＤＰＣＨ（Ｄｅｄｉｃａｔｅｄ  Ｐｈｙｓｉｃａｌ  ＣＨａｎｎｅｌ）電力を制御する携帯電話機であって、
予め測定した受信特性から作成した受信特性データを保存する特性テーブルと、自機がおかれている環境での干渉量を測定する測定手段と、前記測定手段で測定した干渉量と前記特性テーブルに保存されている受信特性データとから自機がおかれている環境下で目標ＢＬＥＲ（Ｂｌｏｃｋ  Ｅｒｒｏｒ  Ｒａｔｅ）を満たす目標ＤＰＣＨ電力を決定する決定手段と、前記受信ＤＰＣＨ電力が前記目標ＤＰＣＨ電力になるように制御する制御手段とを有することを特徴とする携帯電話機。
【請求項１０】
前記受信特性データは、基準ＢＬＥＲとなる干渉量と前記受信ＤＰＣＨ電力との関係を示すことを特徴とする請求項９記載の携帯電話機。
【請求項１１】
前記受信特性データは、長区間での測定が必要なＢＬＥＲの測定を予め実施して作成したことを特徴とする請求項１０記載の携帯電話機。
【請求項１２】
前記制御手段は、前記受信ＤＰＣＨ電力が前記目標ＤＰＣＨ電力より大きい場合にＴＰＣ（Ｔｒａｎｓｍｉｔ  Ｐｏｗｅｒ  Ｃｏｎｔｒｏｌ）ビットにて“ＤＯＷＮ”を前記無線基地局に送信し、前記受信ＤＰＣＨ電力が前記目標ＤＰＣＨ電力より小さい場合に前記ＴＰＣビットで“ＵＰ”を前記無線基地局に送信して前記受信ＤＰＣＨ電力が前記目標ＤＰＣＨ電力になるように制御することを特徴とする請求項９から請求項１１のいずれか記載の携帯電話機。
【請求項１３】
前記制御手段は、前記干渉量が所定値以下の状態が所定時間以上継続した時に前記受信ＤＰＣＨ電力に対する制御を行うことを特徴とする請求項９から請求項１２のいずれか記載の携帯電話機。
【請求項１４】
前記制御手段は、前記干渉量が所定値以下の状態が所定時間以上継続してから所定時間の間、前記受信ＤＰＣＨ電力に対する制御を行うことを特徴とする請求項９から請求項１２のいずれか記載の携帯電話機。
【請求項１５】
前記制御手段は、前記目標ＤＰＣＨ電力を所定時間以上単調に下げ、総低下量が所定値以上となった時に前記受信ＤＰＣＨ電力に対する制御を行うことを特徴とする請求項９から請求項１２のいずれか記載の携帯電話機。
【請求項１６】
前記制御手段は、前記目標ＤＰＣＨ電力を所定時間以上単調に下げ、総低下量が所定値以上となってから所定時間の間、前記受信ＤＰＣＨ電力に対する制御を行うことを特徴とする請求項９から請求項１２のいずれか記載の携帯電話機。
【請求項１７】
携帯電話機と無線基地局との間でインナーループ電力制御とアウターループ電力制御とを使用して受信ＤＰＣＨ（Ｄｅｄｉｃａｔｅｄ  Ｐｈｙｓｉｃａｌ  ＣＨａｎｎｅｌ）電力を制御する受信電力制御方法であって、前記携帯電話機側に、前記携帯電話機がおかれている環境での干渉量を測定するステップと、その測定した干渉量と予め測定した受信特性から作成した受信特性データを保存する特性テーブルの保存内容とから前記携帯電話機がおかれている環境下で目標ＢＬＥＲ（Ｂｌｏｃｋ  Ｅｒｒｏｒ  Ｒａｔｅ）を満たす目標ＤＰＣＨ電力を決定するステップと、前記受信ＤＰＣＨ電力が前記目標ＤＰＣＨ電力になるように制御するステップとを有することを特徴とする受信電力制御方法。
【請求項１８】
前記受信特性データは、基準ＢＬＥＲとなる干渉量と前記受信ＤＰＣＨ電力との関係を示すことを特徴とする請求項１７記載の受信電力制御方法。
移動通信システム。
【請求項１９】
前記受信特性データは、長区間での測定が必要なＢＬＥＲの測定を予め実施して作成したことを特徴とする請求項１８記載の受信電力制御方法。
【請求項２０】
前記受信ＤＰＣＨ電力が前記目標ＤＰＣＨ電力になるように制御するステップは、前記受信ＤＰＣＨ電力が前記目標ＤＰＣＨ電力より大きい場合にＴＰＣ（Ｔｒａｎｓｍｉｔ  Ｐｏｗｅｒ  Ｃｏｎｔｒｏｌ）ビットにて“ＤＯＷＮ”を前記無線基地局に送信し、前記受信ＤＰＣＨ電力が前記目標ＤＰＣＨ電力より小さい場合に前記ＴＰＣビットで“ＵＰ”を前記無線基地局に送信して前記受信ＤＰＣＨ電力が前記目標ＤＰＣＨ電力になるように制御することを特徴とする請求項１７から請求項１９のいずれか記載の受信電力制御方法。
【請求項２１】
前記受信ＤＰＣＨ電力が前記目標ＤＰＣＨ電力になるように制御するステップは、前記干渉量が所定値以下の状態が所定時間以上継続した時に前記受信ＤＰＣＨ電力に対する制御を行うことを特徴とする請求項１７から請求項２０のいずれか記載の受信電力制御方法。
【請求項２２】
前記受信ＤＰＣＨ電力が前記目標ＤＰＣＨ電力になるように制御するステップは、前記制御手段は、前記干渉量が所定値以下の状態が所定時間以上継続してから所定時間の間、前記受信ＤＰＣＨ電力に対する制御を行うことを特徴とする請求項１７から請求項２０のいずれか記載の受信電力制御方法。
【請求項２３】
前記受信ＤＰＣＨ電力が前記目標ＤＰＣＨ電力になるように制御するステップは、前記制御手段は、前記目標ＤＰＣＨ電力を所定時間以上単調に下げ、総低下量が所定値以上となった時に前記受信ＤＰＣＨ電力に対する制御を行うことを特徴とする請求項１７から請求項２０のいずれか記載の受信電力制御方法。
【請求項２４】
前記受信ＤＰＣＨ電力が前記目標ＤＰＣＨ電力になるように制御するステップは、前記制御手段は、前記目標ＤＰＣＨ電力を所定時間以上単調に下げ、総低下量が所定値以上となってから所定時間の間、前記受信ＤＰＣＨ電力に対する制御を行うことを特徴とする請求項１７から請求項２０のいずれか記載の受信電力制御方法。
【請求項２５】
携帯電話機と無線基地局との間でインナーループ電力制御とアウターループ電力制御とを使用して受信ＤＰＣＨ（Ｄｅｄｉｃａｔｅｄ  Ｐｈｙｓｉｃａｌ  ＣＨａｎｎｅｌ）電力を制御する受信電力制御方法のプログラムであって、コンピュータに、前記携帯電話機がおかれている環境での干渉量を測定する処理と、その測定した干渉量と予め測定した受信特性から作成した受信特性データを保存する特性テーブルの保存内容とから前記携帯電話機がおかれている環境下で目標ＢＬＥＲ（Ｂｌｏｃｋ  Ｅｒｒｏｒ  Ｒａｔｅ）を満たす目標ＤＰＣＨ電力を決定する処理と、前記受信ＤＰＣＨ電力が前記目標ＤＰＣＨ電力になるように制御する処理とを実行させるためのプログラム。
【発明の詳細な説明】
【技術分野】
【０００１】
本発明は移動通信システム、携帯電話機及びそれに用いる受信電力制御方法並びにそのプログラムに関し、特にＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）方式を用いた携帯電話機の受信ＤＰＣＨ（Ｄｅｄｉｃａｔｅｄ  Ｐｈｙｓｉｃａｌ  ＣＨａｎｎｅｌ）電力の制御に関する。
【背景技術】
【０００２】
Ｗ−ＣＤＭＡ方式を用いた携帯電話機の受信ＤＰＣＨ電力は、インナーループ電力制御（Ｉｎｎｅｒ  Ｌｏｏｐ  Ｐｏｗｅｒ  Ｃｏｎｔｒｏｌ）とアウターループ電力制御（Ｏｕｔｅｒ  Ｌｏｏｐ  Ｐｏｗｅｒ  Ｃｏｎｔｒｏｌ）とによって制御されている。
【０００３】
インナーループ電力制御では、図４に示すように、携帯電話機１において、受信ＳＩＲ（Ｓｉｇｎａｌ  ｔｏ  Ｉｎｔｅｒｆｅｒｅｎｃｅｒａｔｉｏ）を測定し、その受信ＳＩＲと目標ＳＩＲとを比較し、受信ＳＩＲが目標ＳＩＲに達していない場合に“ＵＰ”コマンドを、受信ＳＩＲが目標ＳＩＲ以上であった場合に“ＤＯＷＮ”コマンドをそれぞれＴＰＣ（Ｔｒａｎｓｍｉｔ  Ｐｏｗｅｒ  Ｃｏｎｔｒｏｌ：送信電力制御）ビットとして無線基地局２に送信している。
【０００４】
無線基地局２では、そのＴＰＣビットを受信すると、復号した結果が“ＵＰ”であった場合にＤＰＣＨの送信電力を１ｄＢ上げ、“ＤＯＷＮ”であった場合に１ｄＢ下げている。インナーループ電力制御では、上記のような電力制御をスロット周期で実施している。
【０００５】
アウターループ電力制御では、通信品質ＢＬＥＲ（Ｂｌｏｃｋ  Ｅｒｒｏｒ  Ｒａｔｅ）が目標値になるように目標ＳＩＲを制御している。アウターループ電力制御では、受信データをある長区間測定し、目標ＢＬＥＲに達していない場合に目標ＳＩＲを上げ、目標ＢＬＥＲ以上であった場合に目標ＳＩＲを下げている。
【０００６】
上記のようなインナーループ電力制御とアウターループ電力制御とを使用した電力制御はクローズドループ制御と呼ばれており、無線基地局での受信レベル情報を制御信号を通して移動局にフィードバックして無線基地局の送信電力制御を行う。これ以外の送信電力制御としては、移動局の受信レベルを基に無線基地局の送信電力制御を行うオープンループ制御もある（例えば、特許文献１参照）。
【０００７】
【特許文献１】特開平１０−５６４２１号公報
【発明の開示】
【発明が解決しようとする課題】
【０００８】
上述した従来の受信ＤＰＣＨ電力では、インナーループ電力制御とアウターループ電力制御とを使用した電力制御の場合、特に干渉量が少ない環境において、受信ＳＩＲが非常に高い値になってしまい、目標ＳＩＲ以上となるため、ＴＰＣビットで“ＤＯＷＮ”コマンドを連続して送信することとなる。
【０００９】
そのＴＰＣビットを受信した基地局では、送信ＤＰＣＨの電力を連続して下げていくため、携帯電話機での受信ＤＰＣＨ電力が低くなっていき、いずれＢＬＥＲが発生するのだが、アウターループ電力制御がある程度の長区間を測定した結果より、目標ＳＩＲの上げ下げを制御するため、上記の場合のように連続して電力が下がってＢＬＥＲが発生した場合、たとえ目標ＳＩＲを上げても間に合わずに通信が切断してしまうという問題が発生する。この問題は、上記の特許文献１に記載の技術でも解決することができない。
【００１０】
そこで、本発明の目的は上記の問題点を解消し、瞬時に携帯電話機の環境に適した受信ＤＰＣＨ電力を要求することができる移動通信システム、携帯電話機及びそれに用いる受信電力制御方法並びにそのプログラムを提供することにある。
【課題を解決するための手段】
【００１１】
本発明による移動通信システムは、携帯電話機と無線基地局との間でインナーループ電力制御とアウターループ電力制御とを使用して受信ＤＰＣＨ（Ｄｅｄｉｃａｔｅｄ  Ｐｈｙｓｉｃａｌ  ＣＨａｎｎｅｌ）電力を制御する移動通信システムであって、
予め測定した受信特性から作成した受信特性データを保存する特性テーブルと、前記携帯電話機がおかれている環境での干渉量を測定する測定手段と、前記測定手段で測定した干渉量と前記特性テーブルに保存されている受信特性データとから前記携帯電話機がおかれている環境下で目標ＢＬＥＲ（Ｂｌｏｃｋ  Ｅｒｒｏｒ  Ｒａｔｅ）を満たす目標ＤＰＣＨ電力を決定する決定手段と、前記受信ＤＰＣＨ電力が前記目標ＤＰＣＨ電力になるように制御する制御手段とを前記携帯電話機に備えている。
【００１２】
本発明による携帯電話機は、無線基地局との間でインナーループ電力制御とアウターループ電力制御とを使用して受信ＤＰＣＨ（Ｄｅｄｉｃａｔｅｄ  Ｐｈｙｓｉｃａｌ  ＣＨａｎｎｅｌ）電力を制御する携帯電話機であって、
予め測定した受信特性から作成した受信特性データを保存する特性テーブルと、自機がおかれている環境での干渉量を測定する測定手段と、前記測定手段で測定した干渉量と前記特性テーブルに保存されている受信特性データとから自機がおかれている環境下で目標ＢＬＥＲ（Ｂｌｏｃｋ  Ｅｒｒｏｒ  Ｒａｔｅ）を満たす目標ＤＰＣＨ電力を決定する決定手段と、前記受信ＤＰＣＨ電力が前記目標ＤＰＣＨ電力になるように制御する制御手段とを備えている。
【００１３】
本発明による受信電力制御方法は、携帯電話機と無線基地局との間でインナーループ電力制御とアウターループ電力制御とを使用して受信ＤＰＣＨ（Ｄｅｄｉｃａｔｅｄ  Ｐｈｙｓｉｃａｌ  ＣＨａｎｎｅｌ）電力を制御する受信電力制御方法であって、前記携帯電話機側に、前記携帯電話機がおかれている環境での干渉量を測定するステップと、その測定した干渉量と予め測定した受信特性から作成した受信特性データを保存する特性テーブルの保存内容とから前記携帯電話機がおかれている環境下で目標ＢＬＥＲ（Ｂｌｏｃｋ  Ｅｒｒｏｒ  Ｒａｔｅ）を満たす目標ＤＰＣＨ電力を決定するステップと、前記受信ＤＰＣＨ電力が前記目標ＤＰＣＨ電力になるように制御するステップとを備えている。
【００１４】
本発明による受信電力制御方法のプログラムは、携帯電話機と無線基地局との間でインナーループ電力制御とアウターループ電力制御とを使用して受信ＤＰＣＨ（Ｄｅｄｉｃａｔｅｄ  Ｐｈｙｓｉｃａｌ  ＣＨａｎｎｅｌ）電力を制御する受信電力制御方法のプログラムであって、コンピュータに、前記携帯電話機がおかれている環境での干渉量を測定する処理と、その測定した干渉量と予め測定した受信特性から作成した受信特性データを保存する特性テーブルの保存内容とから前記携帯電話機がおかれている環境下で目標ＢＬＥＲ（Ｂｌｏｃｋ  Ｅｒｒｏｒ  Ｒａｔｅ）を満たす目標ＤＰＣＨ電力を決定する処理と、前記受信ＤＰＣＨ電力が前記目標ＤＰＣＨ電力になるように制御する処理とを実行させている。
【００１５】
すなわち、本発明の携帯電話機の受信電力制御方法は、事前に携帯電話機の受信特性データを携帯電話機内部のメモリに保存しておき、携帯電話機がおかれている環境での干渉量であるＩＳＣＰ（Ｉｎｔｅｒｆｅｒｅｎｃｅ  Ｓｉｇｎａｌ  Ｃｏｄｅ  Ｐｏｗｅｒ）を測定し、その測定したＩＳＣＰとメモリに所有している受信特性データとから、携帯電話機がおかれている環境下で目標ＢＬＥＲ（Ｂｌｏｃｋ  Ｅｒｒｏｒ  Ｒａｔｅ）を満たす目標ＤＰＣＨ（Ｄｅｄｉｃａｔｅｄ  Ｐｈｙｓｉｃａｌ  ＣＨａｎｎｅｌ）電力を決定し、受信ＤＰＣＨ電力が目標ＤＰＣＨ電力になるように制御している。
【００１６】
本発明の受信電力制御方法では、長区間での測定が必要なＢＬＥＲの測定を事前に実施し、ある基準ＢＬＥＲとなるＩＳＣＰと受信ＤＰＣＨ電力との関係を携帯電話機のメモリに持っておき、その環境下でのＩＳＣＰを測定し、メモリで所有している基準ＢＬＥＲとなるＩＳＣＰと受信ＤＰＣＨ電力との関係から、必要となる受信ＤＰＣＨ電力を決定することによって、干渉が少ない環境でも、また干渉が多い環境でも、その環境に適したＤＰＣＨ電力を瞬時に無線基地局に要求することが可能となり、通信が切断しなくなる。
【００１７】
より具体的に説明すると、本発明の受信電力制御方法では、ＢＬＥＲが基準値になるようなＩＳＣＰと受信ＤＰＣＨ電力との関係を測定した受信特性データをメモリに保存しておき、携帯電話機がおかれている環境下でのＩＳＣＰを測定し、その測定したＩＳＣＰとメモリで持っている受信特性データとによって受信ＤＰＣＨ電力を制御している。
【００１８】
これによって、従来のインナーループ電力制御（Ｉｎｎｅｒ  Ｌｏｏｐ  Ｐｏｗｅｒ  Ｃｏｎｔｒｏｌ）とアウターループ電力制御（Ｏｕｔｅｒ  Ｌｏｏｐ  Ｐｏｗｅｒ  Ｃｏｎｔｒｏｌ）とを使用した電力制御の場合にＢＬＥＲが劣化してから受信ＤＰＣＨ電力を上げるよう要求するまでにある程度時間がかかっているが、本発明の受信電力制御方法では、事前に携帯電話機の受信特性を測定し、メモリに保存しておくことによって、瞬時にその環境に適した受信ＤＰＣＨ電力が要求可能となる。
【発明の効果】
【００１９】
本発明は、以下に述べるような構成及び動作とすることで、瞬時に携帯電話機の環境に適した受信ＤＰＣＨ電力を要求することができるという効果が得られる。
【発明を実施するための最良の形態】
【００２０】
次に、本発明の実施例について図面を参照して説明する。図１は本発明の一実施例による携帯電話機の構成を示すブロック図である。図１において、携帯電話機１はアンテナ１１と、送受信部１２と、送受信制御部１３と、制御部１４と、測定部１５と、特性テーブル１６と、記憶部１７と、表示部１８と、入力部１９と、音声処理回路２０とから構成されている。
【００２１】
送受信部１２はアンテナ１１を介して図示せぬ無線基地局（図４の無線基地局２）との間で無線による発着信を行い、送受信制御回路１３は送受信部１２による発着信処理を制御する。制御部１４は全体の制御処理を行い、記憶部１７は制御部１４で実行されるプログラムや電話帳等の個人データを格納する。
【００２２】
測定部１５は送受信部１２で受信した信号からＩＳＣＰ（Ｉｎｔｅｒｆｅｒｅｎｃｅ  Ｓｉｇｎａｌ  Ｃｏｄｅ  Ｐｏｗｅｒ）及びＤＰＣＨ（Ｄｅｄｉｃａｔｅｄ  Ｐｈｙｓｉｃａｌ  ＣＨａｎｎｅｌ）電力を測定し、その測定値を制御部１４に送出する。特性テーブル１６は予め測定されかつ長区間での測定が必要なＢＬＥＲ（Ｂｌｏｃｋ  Ｅｒｒｏｒ  Ｒａｔｅ）を基に作成したある基準ＢＬＥＲとなるＩＳＣＰと受信ＤＰＣＨ電力との関係を格納する。
【００２３】
表示部１８は情報を可視表示し、入力部１９はキースイッチ等によってユーザからのデータや指示等の情報を入力し、音声処理回路２０は通話に必要な音声を処理する。
【００２４】
尚、本実施例による移動通信システムは、上記のような構成の携帯電話機１を用いる以外は、図４に示す移動通信システムと同様の構成であり、上記と同様のインナーループ電力制御（Ｉｎｎｅｒ  Ｌｏｏｐ  Ｐｏｗｅｒ  Ｃｏｎｔｒｏｌ）とアウターループ電力制御（Ｏｕｔｅｒ  Ｌｏｏｐ  Ｐｏｗｅｒ  Ｃｏｎｔｒｏｌ）とを使用して電力制御を行っているものとする。
【００２５】
図２は図１の特性テーブル１６の構成例を示す図である。図２において、特性テーブル１６は予めＢＬＥＲ０足呈して作成された基準ＢＬＥＲとなるＩＳＣＰと受信ＤＰＣＨ電力との関係が保存されている。
【００２６】
特性テーブル１６では、例えば、ＩＳＣＰ［ｄＢｍ］である「−５０」，「−５１」，「−５２」，「−５３」，「−５４」，「−５５」，・・・，「−１０５」，「−１０６」，「−１０７」，「−１０８」，「−１０９」，「−１１０」に対して、ＤＰＣＨ［ｄＢｍ］として「−２０」，「−２１」，「−２２」，「−２３」，「−２４」，「−２５」，・・・，「−７５」，「−７６」，「−７７」，「−７８」，「−７９」，「−８０」が保存されている。
【００２７】
図３は本発明の一実施例による携帯電話機１の受信電力制御の動作を示すフローチャートである。これら図１〜図４を参照して本発明の一実施例による携帯電話機１の受信電力制御の動作について説明する。尚、図３に示す処理動作は制御部１４が記録部１７のプログラムを実行することで実現される。
【００２８】
まず、携帯電話機１では自機が現在おかれている環境でのＩＳＣＰを測定部１５にて測定し（図３ステップＳ１）、その測定データと特性テーブル１６に予め保存してある基準ＢＬＥＲとなるＩＳＣＰと受信ＤＰＣＨ電力の関係を示す受信特性データ（図２参照）とから、測定したＩＳＣＰで基準ＢＬＥＲを満たす目標ＤＰＣＨ電力を割り出す（図３ステップＳ２）。
【００２９】
続いて、携帯電話機１では現在受信しているＤＰＣＨ電力を測定し（図３ステップＳ３）、測定した受信ＤＰＣＨ電力を上記の処理で割り出した目標ＤＰＣＨ電力とを比較する（図３ステップＳ４）。
【００３０】
携帯電話機１はそれらを比較した結果、測定したＤＰＣＨ電力の方が目標ＤＰＣＨ電力より大きかった場合に（図３ステップＳ５）、ＴＰＣ（Ｔｒａｎｓｍｉｔ  Ｐｏｗｅｒ  Ｃｏｎｔｒｏｌ：送信電力制御）ビットで“ＤＯＷＮ”を無線基地局２に要求する（図３ステップＳ６）。
【００３１】
また、携帯電話機１は測定したＤＰＣＨ電力の方が目標ＤＰＣＨ電力より小さかった場合に（図３ステップＳ５）、ＴＰＣビットで“ＵＰ”を無線基地局２に要求する（図３ステップＳ７）。
【００３２】
このように、従来のインナーループ電力制御とアウターループ電力制御とを使用した電力制御の場合にＢＬＥＲが劣化してから受信ＤＰＣＨ電力を上げるよう要求するまでにある程度時間がかかっているのに対し、本実施例では、事前に携帯電話機１の受信特性を測定し、その測定結果から作成した基準ＢＬＥＲとなるＩＳＣＰと受信ＤＰＣＨ電力との関係を示す受信特性データを特性テーブル（内部メモリ）に保存しておくことによって、瞬時に携帯電話機１の環境に適した受信ＤＰＣＨ電力を無線基地局２に要求することができる。
【００３３】
尚、本発明では、上記の受信電力制御の動作を行う条件として、干渉値が所定値以下の状態が所定時間以上継続した場合に、上記の受信電力制御の動作を実行するようにしたり、この条件が満たされてから所定時間、上記の受信電力制御の動作を行うようにすることも可能である。
【００３４】
また、本発明では、目標受信電力を所定時間以上、単調に下げ、総低下量が所定値以上である場合に、上記の受信電力制御を実行するようにしたり、この条件が満たされてから所定時間、上記の受信電力制御の動作を行うようにすることも可能である。
【００３５】
さらに、本発明では、上述した条件とは逆に、上記の受信電力制御の動作に対して、干渉値が所定値以上の状態となった時に停止させる等の制限を加えることも可能である。この場合には、無駄な受信電力制御の動作を抑止できるので、携帯電話機の消費電力を軽減することができる。
【図面の簡単な説明】
【００３６】
【図１】本発明の一実施例による携帯電話機の構成を示すブロック図である。
【図２】図１の特性テーブルの構成例を示す図である。
【図３】本発明の一実施例による携帯電話機の受信電力制御の動作を示すフローチャートである。
【図４】インナーループ電力制御を示す図である。
【符号の説明】
【００３７】
１  携帯電話機
１１  アンテナ
１２  送受信部
１３  送受信制御部
１４  制御部
１５  測定部
１６  特性テーブル
１７  記憶部
１８  表示部
１９  入力部
２０  音声処理回路
【図１】
2005354239.tif 000003
【図２】
2005354239.tif 000004
【図３】
2005354239.tif 000005
【図４】
2005354239.tif 000006